(57)【要約】【課題】内部の排気を十分に行える生ゴミ分解処理装置を提供する。【解決手段】ケーシング１の内部に配置され処理剤と生ゴミを収納する処理槽２と、処理槽２に水を供給する給水機構と、処理槽２に空気を供給する給気部５と、処理槽２の内部に溜まった汚れたガスをケーシング１に形成された排気口１２Ａを通して外部に排出する排気機構６とを備え、排気機構６を、処理槽２の内部側に向けて設けられた蛇腹状フィルタ６０と、蛇腹状フィルタ６０を通して処理槽２の内部の汚れたガスを吸引するファン６１と、ファン６１で吸引された空気から塵を捕捉する集塵フィルタ６２と、集塵フィルタ６２が着脱自在に取り付けられるフィルタ取付用ブラケット６３とを有する。表面が凹凸状の蛇腹状フィルタ６０と集塵フィルタ６２とで塵等を効率的に捕捉することができるので、目詰まりを起こしたりすることがなく、内部の排気を十分に行うことができる。【選択図】図３
2010240610.tif 000002
【特許請求の範囲】
【請求項１】
バイオ菌を有する処理剤で生ゴミの分解を促進させて処理する生ゴミ分解処理装置であって、ケーシングと、このケーシングの内部に配置され前記処理剤と生ゴミを収納する処理槽と、この処理槽に水を供給する給水機構と、前記処理槽に空気を供給する給気部と、前記処理槽の内部に溜まった汚れたガスを前記ケーシングに形成された排気口を通して外部に排出する排気機構とを備え、この排気機構は、前記処理槽の内部側に向けて設けられた蛇腹状フィルタと、前記ケーシングと前記処理槽との間に配置されるとともに前記蛇腹状フィルタを通して前記処理槽の内部の汚れたガスを吸引するファンと、このファンで吸引された空気から塵を捕捉する集塵フィルタと、この集塵フィルタが着脱自在に取り付けられるとともに前記ケーシングと前記処理槽との間に設けられたフィルタ取付用ブラケットとを有することを特徴とする生ゴミ分解処理装置。
【請求項２】
請求項１に記載された生ゴミ分解処理装置において、
前記処理槽に設けられるとともに前記生ゴミの水分を検出する水分検出センサと、この水分検出センサで検出された検出データに基づいて前記給水機構を制御する制御基板とを備えたことを特徴とする生ゴミ分解処理装置。
【発明の詳細な説明】
【技術分野】
【０００１】
本発明は、バイオ菌を利用して、野菜屑、その他、家庭で発生する調理屑や、ペットの糞、その他の生ゴミを分解処理する生ゴミ分解装置に関する。
【背景技術】
【０００２】
野菜屑等の家庭で発生する生ゴミや、ペットの糞を家庭内で処理するために種々の装置が利用されている。
この装置の従来例として、発酵母材及び発酵分解すべき有機廃棄物を収容しうる発酵分解槽と、この発酵分解槽に有機廃棄物等を投入するための投入口扉と、発酵分解槽の下部に設けられたヒータと、発酵母材及び有機廃棄物を攪拌する攪拌羽根と、有機廃棄物の発酵分解に伴い発酵分解槽内に発生するガスを外部へ排出する排気ファンとを備えた恒温発酵分解装置がある（特許文献１）。
この特許文献１の従来例では、排気ファンと発酵分解槽との間には脱臭装置が設けられており、この脱臭装置は、排気通路と、この排気通路に設けられるとともに活性炭からなる脱臭剤を収納する脱臭剤室とを備えている。
【先行技術文献】
【特許文献】
【０００３】
【特許文献１】特開２００４−３５１３３７号公報
【発明の概要】
【発明が解決しようとする課題】
【０００４】
特許文献１で示される従来例では、ヒータで加熱された発酵母材及び有機廃棄物が攪拌羽根で攪拌されながら発酵分解されている構成であり、かつ、発酵母材である木質オガ屑は乾燥していると分解性能が落ちるので、水分が不足している場合には、発酵が促進されないだけでなく、有機廃棄物自体が乾燥し、汚れたガスがそのまま外部に排出される恐れがある。この汚れたガスには、乾燥に伴って浮遊した塵等が混在することもある。
特許文献１で示される従来例では、発酵分解槽内で発生したガスは、排気通路及び脱臭剤室を通って排気ファンから外部に排出されものであるため、脱臭剤室に収納された活性炭に塵等が詰まってしまい、十分な排気が行われないという問題がある。十分な排気が行われないと、臭いが発酵分解槽の中に残ってしまい、投入口扉を開けた場合には、臭いが室内に充満する。
【０００５】
本発明の目的は内部の排気を十分に行える生ゴミ分解処理装置を提供することにある。
【課題を解決するための手段】
【０００６】
本発明の生ゴミ分解処理装置は、バイオ菌を有する処理剤で生ゴミの分解を促進させて処理する生ゴミ分解処理装置であって、ケーシングと、このケーシングの内部に配置され前記処理剤と生ゴミを収納する処理槽と、この処理槽に水を供給する給水機構と、前記処理槽に空気を供給する給気部と、前記処理槽の内部に溜まった汚れたガスを前記ケーシングに形成された排気口を通して外部に排出する排気機構とを備え、この排気機構は、前記処理槽の内部側に向けて設けられた蛇腹状フィルタと、前記ケーシングと前記処理槽との間に配置されるとともに前記蛇腹状フィルタを通して前記処理槽の内部の汚れたガスを吸引するファンと、このファンで吸引された空気から塵を捕捉する集塵フィルタと、この集塵フィルタが着脱自在に取り付けられるとともに前記ケーシングと前記処理槽との間に設けられたフィルタ取付用ブラケットとを有することを特徴とする。
【０００７】
この構成の発明では、生ゴミ、例えば、家庭内での調理で発生する野菜屑、残飯、犬猫等のペットの糞尿を処理剤とともに処理槽に投入し、その後、給水機構によって生ゴミに給水する。すると、処理剤のバイオ菌と水の働きによって生ゴミの分解が促進される。バイオ菌を働かせるために必要な空気は吸気部を通じて外部から処理槽の内部に送られ、生ゴミ自体の臭いを含む汚れたガスは排気機構を通じてケーシングの排気口から外部に排出される。
この排出機構では、ファンが作動されることで、処理槽内に溜まった汚れたガスは蛇腹状フィルタ及び集塵フィルタを通って外部に排出される。蛇腹状フィルタは、その形状に起因して表面積が広くかつ表面が凹凸とされているため、ガス中に含まれる塵等を効率的に捕捉することができ、この蛇腹状フィルタを通ったガスに塵等が含まれていても、この塵等を集塵フィルタで捕捉することができる。この集塵フィルタはフィルタ取付用ブラケットに着脱自在に取り付けられているため、捕捉した塵等が溜まった場合には、集塵フィルタを新しいものに交換する。
従って、本発明では、生ゴミに水を供給することで、処理剤のバイオ菌の働きが良くなって生ゴミの分解が促進されるだけでなく、乾燥を抑えることができて塵等の浮遊を少なくすることができる。しかも、排気機構を構成する蛇腹状フィルタと集塵フィルタとで塵等を効率的に捕捉することができるので、目詰まりを起こしたりすることがなく、内部の排気を十分に行うことができる。
【０００８】
ここで、本発明は、前記処理槽に設けられるとともに前記生ゴミの水分を検出する水分検出センサと、この水分検出センサで検出された検出データに基づいて前記給水機構を制御する制御基板とを備えた構成が好ましい。
この構成の発明では、制御基板が水分検出センサで検出された検出データに基づいて給水機構を制御するので、処理槽に収納された生ゴミは常時適正な水分を保持することになり、生ゴミの分解を効率的に促進させることができる。
【図面の簡単な説明】
【０００９】
【図１】本発明の一実施形態にかかる生ゴミ分解処理装置の外観を示す斜視図。
【図２】前記生ゴミ分解処理装置の一部を破断した斜視図。
【図３】前記生ゴミ分解処理装置の一部の分解斜視図。
【図４】前記生ゴミ分解処理装置の要部を示す分解斜視図。
【図５】蛇腹状フィルタを保持するホルダを示すもので、（Ａ）は上面図、（Ｂ）は正面図。
【図６】蛇腹状フィルタを示すもので、（Ａ）は上面図、（Ｂ）は正面図。
【図７】集塵フィルタを保持するダクトの正面図。
【発明を実施するための形態】
【００１０】
以下、本発明の一実施形態を図面に基づいて説明する。
図１は本実施形態にかかる生ゴミ分解処理装置の外観を示す斜視図であり、図２は生ゴミ分解処理装置の一部を破断した斜視図であり、図３は生ゴミ分解処理装置の一部の分解斜視図である。
図１から図３において、生ゴミ分解処理装置は、ケーシング１と、このケーシング１の内部に配置され処理剤と生ゴミとを収納する処理槽２と、この処理槽２を覆う蓋３と、処理槽２に水を供給する給水機構４と、処理槽２に空気を供給する給気部５と、処理槽２の内部に溜まった汚れたガスを外部に排出する排気機構６と、処理槽２に設けられた攪拌機構７と、ケーシング１に設けられた取手８とを備えており、その外観が犬を模した形状とされる。なお、図２において、符号８１は電源コードであり、符号８２はアース線である。
本実施形態では、処理剤はバイオ菌を有するものであり、木の葉、不要木材の粉末、オガ屑、その他の基材を例示することができる。バイオ菌を有する処理剤で処理される生ゴミには、例えば、家庭内での調理で発生する野菜屑、残飯や、犬猫等のペットの糞尿を例示することができる。
【００１１】
ケーシング１は、左右一対の胴部１１と、これらの胴部１１の上部にそれぞれ形成された開口１１Ａに着脱自在に取り付けられた耳部１２と、胴部１１の下部にそれぞれ形成された開口１１Ｂに取り付けられた後足部１３と、胴部１１の正面側に設けられた正面部１４（図３での図示省略）と、底板１５と、中間枠板１６とを備えている。底板１５は鋼板から形成されており、底板１５を除くケーシング１を構成する部材は、それぞれ合成樹脂から形成されている。
胴部１１は犬の胴体部分を模した形状であり、その正面側の上端部分と背面側とでそれぞれ接合される。
耳部１２は犬の耳を模した形状であり、フレーム１２１にルーバ１２２が設けられた構造であり、ルーバ１２２の間の空間から排気口１２Ａが形成されている。
【００１２】
正面部１４は、犬の胸部と前足部とを模した形状であり、胸部に相当する部分には円形のネームプレート１４１が着脱自在に取り付けられ、このネームプレート１４１には、ペットの名前を記載したり、ペットの写真を貼り付けたりできるようになっている。
中間枠板１６は、その平面中央に処理槽２の開口部と略同じ大きさの開口が形成されており、その側面部に取手８の先端部が回動自在に支持されている。
取手８は、略Ｕ字状に形成されている。この取手８は、Ｕ字状に沿った外縁形状が胴部１１の外縁形状と略一致する。
【００１３】
処理槽２は、円弧状の底面板部２１と、この底面板部２１の両端部からそれぞれ上方に延びて形成される側面板部２２と、これらの側面板部２２及び底面板部２１の正面側に設けられる正面板部２３と、この正面板部２３に対向配置され側面板部２２及び底面板部２１の背面側に設けられた背面板部２４とを備え、これらは、ポリプロピレン等の樹脂から一体に形成されている。処理槽２の上部は平面矩形状の開口が形成されている。
側面板部２２及び背面板部２４の平面形状は、それぞれ上部が矩形状とされ、下部が半円状とされる。
底面板部２１には生ゴミの水分を検出する水分検出センサとしての一対の電極９０が設けられている。これらの電極９０は底面板部２１の最も深い位置より高い位置において互いに所定間隔離れて配置されており、その先端部が処理槽２の内部を臨むようにされている。これらの電極９０のうち一方から他方に電気が流れるが、その際の抵抗値から生ゴミ内の水分を検出する。
これらの電極９０は制御基板９１に接続されている。
【００１４】
底面板部２１の底板１５側には、処理槽２の底部を加熱するヒータ９２が設けられ、このヒータ９２と底板１５との間には断熱マット９３が設けられている。
ヒータ９２は適宜な構造を採用することができるものであり、例えば、ニクロム線を蛇行配置した構造でもよい。このヒータ９２は底面板部２１の形状に沿って湾曲して形成されている。ヒータ９２は制御基板９１に接続されている。
断熱マット９３は、ヒータ９２で加熱した熱を底面板部２１に伝達することを阻止できるものであれば、その具体的な材料は問われない。そして、断熱マット９３はヒータ９２と同様に湾曲して形成されている。
処理槽２の前面側には鋼板製の防炎カバー９４が配置されている。この防炎カバー９４は制御基板９１に接続されている。制御基板９１にはモータ用のコンデンサ９５が接続されている。
【００１５】
正面板部２３は、その中央部に攪拌機構７の一部を構成する回転軸７０の一端部７０Ａを軸支するための孔部２３Ａが形成され、その上部に給気部５の一部を構成するメッシュフィルタ５０が取り付けられている。
背面板部２４は、その中央部に回転軸７０の他端部を軸支するための孔部（図示せず）が形成され、その上部に排気機構６の一部を構成する蛇腹状フィルタ６０が設けられている。背面板部２４の槽内部側には生ゴミの収納量を量るための目盛り２４１が形成されている。
正面板部２３と正面部１４との間には処理槽２の正面板部２３を支持する支持板２５が配置されている。同様に、背面板部２４と胴部１１の背面側との間には処理槽２の正面板部２３を支持する支持板２６が配置されている。
これらの支持板２５，２６は、それぞれ鋼板から形成されており、鋼板から形成される底板１５に支持固定されている。
【００１６】
蓋３は処理槽２側に対向可能とされた平面状の蓋本体３１と、外側に面した湾曲したカバー部３２とを備えている。
蓋本体３１は、処理槽２の上部開口を閉塞する内小型蓋体３３と、この内小型蓋体３３の外周部分に設けられるパッキン３４と、このパッキン３４の外周部分に設けられ中間枠板１６の上面を覆う内大型蓋体３５とを備えている。
カバー部３２は、犬の顔を模した形状であり、カバー本体３６の所定位置に目３７と、鼻３８とが設けられており、この目３７の中心部と鼻３８の先端部とには円形の表示部３９がそれぞれ設けられている。鼻３８には不用意に子供が蓋３を開放することを防止するロック部３８１が設けられている。鼻３８の先端部は開閉子３８Ａとされる。
この表示部３９は、ＬＥＤ、その他の表示手段から構成され、処理槽２の内部の水分が適正であるか否か、後述する給水機構４のタンク４１内の水の有無、バイオ菌の交換時期、モータやファン等の駆動部分の異常を表示するものであり、異常が検知された場合は、アラーム表示がされる。このアラーム表示に伴って音声で異常を知らせるものにしてもよい。さらに、処理槽２の内部の水分が適正値より多い場合には、生ゴミを投入しないように表示するものでもよい。
【００１７】
給水機構４は、処理槽２の背面板部２４とケーシング１との間に配置されるタンク４１と、このタンク４１に収納された水を処理槽２の内部に散水するノズル４２と、このノズル４２とタンク４１とを連通する給水管部４３と、この給水管部４３に設けられタンク４１の水をノズル４２に送るポンプ４４とを備えている。
タンク４１は、その開口上部が蓋４１１で閉塞可能とされ、この蓋４１１は中間枠板１６に形成された開口１６Ａに着脱自在とされる。蓋３が閉じられた状態では、蓋４１１は蓋３に覆われた状態となる。タンク４１には水の有無を検出する図示しないセンサが取り付けられ、このセンサからの信号は制御基板９１に送られる。
ノズル４２は処理槽２の開口の一辺に沿うとともに回転軸７０と平行に配置された中空長尺状部材であり、その長手方向に沿って複数の噴水孔が形成されている。なお、図では、ノズル４２が開口の一辺にのみ配置されているが、当該一辺と対向する辺にも併せて配置してもよい。
ポンプ４４は制御基板９１と接続されており、制御基板９１からの信号を受けて作動される。
【００１８】
給気部５は前述のメッシュフィルタ５０と、このメッシュフィルタ５０とケーシング１の２個の耳部１２のうち一方の耳部１２に形成された排気口１２Ａとを連通する吸気用連通路（図示せず）とを備えている。この吸気用連通路は処理槽２とケーシング１との間の空間から構成されている。
メッシュフィルタ５０はフレーム５０１にナイロン繊維のメッシュ布や不織布等からなるフィルタ本体５０２が設けられた構造である。
攪拌機構７は、前述の回転軸７０と、この回転軸７０の周面に設けられた複数の羽根部７１と、回転軸７０の一端部に連結された図示しない駆動機構とを備えている。この駆動機構はモータ及び変速機構を備え、モータは制御基板９１に接続されている。ここで、変速機構は種々の構成を採用することができ、例えば、歯車とチェーンの組み合わせ、プーリとベルトの組み合わせ、複数の歯車の組み合わせを採用することができる。
回転軸７０は、その両端が側面板部２２及び背面板部２４の半円状とされた下部の円中心にそれぞれ軸支される。羽根部７１は、互いに所定間隔離れており、それぞれ基端部が回転軸７０に接続された軸部の先端側に板状部材が接合された構造である。
【００１９】
排気機構６の概略構成が図４に示されている。
図２から図４において、排気機構６は、処理槽２の内部側に向けて設けられた平面矩形状の蛇腹状フィルタ６０と、ケーシング１と処理槽２との間に配置されるとともに蛇腹状フィルタ６０を通して処理槽２の内部の汚れたガスを吸引するファン６１と、このファン６１で吸引されたガスから塵を捕捉する袋状の集塵フィルタ６２と、この集塵フィルタ６２が着脱自在に取り付けられるとともにケーシング１と処理槽２との間に設けられたフィルタ取付用ブラケット６３と、集塵フィルタ６２とケーシング１の２個の耳部１２のうち他方の耳部１２に形成された排気口１２Ａとを連通する吸気用連通路（図示せず）と、を備えている。この吸気用連通路は処理槽２とケーシング１との間の空間から構成されている。
ファン６１は、ハウジング６１１と、このハウジング６１１に設けられたファン本体６１２とを備え、このファン本体６１２は制御基板９１に接続されている。
ハウジング６１１は、蛇腹状フィルタ６０の背面に対向した側面が給気口とされており、ダクト６１３側に排出口が形成されている。
【００２０】
ダクト６１３は、集塵フィルタ６２が取り付けられたフィルタ取付用ブラケット６３を収納するようにされており、排出側開口６１３Ｘが耳部１２に向けて形成されている。
フィルタ取付用ブラケット６３は、ダクト６１３に支持される支持片６３１と、この支持片６３１に一体形成されるとともに集塵フィルタ６２の上部開口を保持する筒状保持部６３２とを備えている。支持片６３１は、筒状保持部６３２の内部開口に対応する部分に平面矩形状の開口部６３１Ａが形成されており、ファン６１から送り込まれたガスが集塵フィルタ６２の内部に送り込まれるようになっている。さらに、支持片６３１にはダクト６１３に対してフィルタ取付用ブラケット６３を着脱する際の摘み部６３１Ｂが形成されている。筒状保持部６３２は角筒状に形成されており、その中央部近傍で集塵フィルタ６２の上部開口が保持される。この集塵フィルタ６２は筒状保持部６３２に輪ゴム、その他の適宜な手段によって着脱自在に取り付けられる。
集塵フィルタ６２はナイロン繊維のメッシュ布や不織布から構成される。集塵フィルタ６２には防臭対策として活性炭、その他の防臭剤が練り込まれ、あるいは、フィルム状の防臭剤が集塵フィルタ６２に貼り合わされている。また、集塵フィルタ６２の内部に活性炭、その他の防臭剤を収納するものでもよい。
【００２１】
蛇腹状フィルタ６０は、ホルダ６０１に着脱自在に取り付けられ、このホルダ６０１は処理槽２の背面板部２４に処理槽２の内部に向けて取り付けられている。
ホルダ６０１の具体的な構成が図５に示されている。図５（Ａ）はホルダ６０１の上面図、図５（Ｂ）はホルダ６０１の正面図である。
図５において、ホルダ６０１は、底枠６０１１と、この底枠６０１１の両端部にそれぞれ接続された側枠６０１２と、底枠６０１１及び側枠６０１２の背面側に一体に形成された背面部６０１３とを備えている。
底枠６０１１及び側枠６０１２は、その内側に向けて蛇腹状フィルタ６０の正面側への抜け止めをするためのフランジ部６０１Ａが形成されている。
背面部６０１３は、中央部に大きな開口６０１Ｄを有する板状部材である。背面部６０１３と底枠６０１１及び側枠６０１２のフランジ部６０１Ａとの間に蛇腹状フィルタ６０が収納される。収納された蛇腹状フィルタ６０は背面部６０１３の上端縁部に形成された突起部６０１Ｃで上方への抜け止めがされている。背面部６０１３の開口６０１Ｄには蛇腹状フィルタ６０が下流側に抜けることがないように十字状の支持部が設けられている。
【００２２】
図６は蛇腹状フィルタ６０を示すもので、図６（Ａ）は蛇腹状フィルタ６０の上面図、図６（Ｂ）は蛇腹状フィルタ６０の正面図である。
図６において、蛇腹状フィルタ６０は、ナイロン繊維のメッシュ布や不織布からなるフィルタ本体６０Ａと、このフィルタ本体６０Ａの外縁部に設けられた平面矩形状の帯状部６０Ｂとを備えている。フィルタ本体６０Ａは九十九折りされており、折り曲げられた部分の間隔が接着剤等からなる線状の連結部６０Ｃで保持されている。この蛇腹状フィルタ６０は可撓性を有するものであって、ホルダ６０１に着脱される際には、変形するようになっている。なお、フィルタ本体６０Ａには防臭対策として活性炭、その他の防臭剤が練り込まれ、あるいは、フィルム状の防臭剤がフィルタ本体６０Ａに貼り合わされている。
【００２３】
図７は集塵フィルタ６２を保持するダクト６１３の正面図である。
図４及び図７において、ダクト６１３は、ファン６１のハウジング６１１と連通する角筒部６１３Ａと、この角筒部６１３Ａに連通されるとともに排出側開口６１３Ｘが側面に形成された箱状部６１３Ｂとを備えている。この箱状部６１３Ｂは、その互いに対向する側板部に一対の支持片６１３Ｃが形成されており、これらの支持片６１３Ｃにフィルタ取付用ブラケット６３の支持片６３１が支持される構成である（図７想像線参照）。ここで、ダクト６１３は、その排出側開口６１３Ｘが耳部１２と対向するように配置されているため、耳部１２を取り外した状態で、集塵フィルタ６２を装着したフィルタ取付用ブラケット６３をダクト６１３に押し込めるようになっている。さらに、箱状部６１３Ｂは、その下端部が耳部１２側に向けて傾斜して形成されている。
【００２４】
次に、生ゴミ分解処理装置の動作について説明する。
まず、蓋３を開けて生ゴミを処理槽２の内部に投入するとともに、生ゴミの上から処理剤を撒く。その後、蓋３を閉め、この状態で、図示しないスイッチを入れ、装置を作動させる。
すると、制御基板９１からの信号を受けて攪拌機構７が作動する。攪拌機構７の回転軸７０が回転され、回転軸７０に取り付けられた羽根部７１が回転し、生ゴミと処理剤とを攪拌する。生ゴミと処理剤とが攪拌されることで、生ゴミに空気が含まれるとともに、処理剤に含まれるバイオ菌により生ゴミが分解される。
【００２５】
生ゴミの分解処理に伴ってガスが発生するが、このガスは排気機構６のファン６１が作動されることで、蛇腹状フィルタ６０を通過してファン６１に吸引され、その後、集塵フィルタ６２を通って耳部１２の排気口１２Ａから外部に排出される。ここで、処理槽２で発生したガスに塵等が含まれている場合、蛇腹状フィルタ６０で濾過され、蛇腹状フィルタ６０を透過した塵は集塵フィルタ６２で捕捉される。そして、仮に、ガスに臭いがあったとしても、蛇腹状フィルタ６０及び集塵フィルタ６２に設けられている活性炭、その他の防臭剤により、その臭いが吸収され、装置外に排出されるガスは臭いのないものとなる。これらの蛇腹状フィルタ６０と集塵フィルタ６２は必要に応じて交換される。
排気機構６によって処理槽２の内部が強制的に吸引されることで、処理槽２の内部に負圧が生じる。これにより、バイオ菌が必要とされる空気は給気部５を通じて外部から処理槽２の内部に取り入れられる。
【００２６】
攪拌機構７で攪拌されている生ゴミの水分は電極９０で検出される。これらの電極９０で検出された結果、水分が規定量より少ない場合には、電極９０から制御基板９１に送られる信号によって、制御基板９１が給水機構４のポンプ４４に作動信号を送る。これにより、給水機構４のポンプ４４が作動されることになり、タンク４１に予め蓄えられている水はノズル４２から処理槽２の生ゴミに向けて満遍なく散布される。これにより、処理剤に含まれるバイオ菌が活性化し生ゴミの分解が促進されるとともに、処理槽２の内部で塵等の発生を抑えることができる。
逆に、水分が多い場合には、その信号が電極９０から制御基板９１に送られ、この制御基板９１から給水機構４のポンプ４４に駆動中止の信号が送られる。すると、ポンプ４４の駆動が中止されて水分の供給が停止される。さらに、制御基板９１からヒータ９２に信号が送られ、このヒータ９２が作動して処理槽２の底部が加熱されて生ゴミの水分が低下する。
【００２７】
従って、本実施形態では次の作用効果を奏することができる。
（１）ケーシング１と、このケーシング１の内部に配置されバイオ菌を含む処理剤と生ゴミを収納する処理槽２と、この処理槽２に水を供給する給水機構４と、処理槽２に空気を供給する給気部５と、処理槽２の内部に溜まった汚れたガスをケーシング１に形成された排気口１２Ａを通して外部に排出する排気機構６とを備えて生ゴミ分解処理装置を構成したから、生ゴミに水を供給することで、処理剤のバイオ菌の働きが良くなって生ゴミの分解が促進されるだけでなく、乾燥を抑えることができて塵等の浮遊を少なくすることができる。しかも、空気を給気部５から処理槽２の内部に送りこむことができるので、バイオ菌の働きを良好にして生ゴミの分解を促進させることができる。
【００２８】
（２）排気機構６を、処理槽２の内部側に向けて設けられた蛇腹状フィルタ６０と、ケーシング１と処理槽２との間に配置されるとともに蛇腹状フィルタ６０を通して処理槽２の内部の汚れたガスを吸引するファン６１と、このファン６１で吸引された空気から塵を捕捉する集塵フィルタ６２と、この集塵フィルタ６２が着脱自在に取り付けられるフィルタ取付用ブラケット６３とを有する構成としたから、表面が凹凸状の蛇腹状フィルタ６０と集塵フィルタとで塵等を効率的に捕捉することができるので、目詰まりを起こしたりすることがなく、内部の排気を十分に行うことができる。集塵フィルタ６２はフィルタ取付用ブラケット６３に対して着脱自在とされているので、集塵フィルタ６２に大きな塵等が溜まっても、新しいフィルタに交換することで、集塵機能を低下させることがない。
【００２９】
（３）集塵フィルタ６２を袋状に形成したから、塵等の集積量を大きなものにできるから、この点からも、目詰まりして集塵機能を低下させることがない。
（４）集塵フィルタ６２が取り付けられたフィルタ取付用ブラケット６３をダクト６１３で収納し、このダクト６１３の排出側開口６１３Ｘを排気口１２Ａが形成されたケーシング１の耳部１２に向けたから、耳部１２を開放することで、集塵フィルタ６２のダクト６１３への装着作業が容易に行える。
【００３０】
（５）フィルタ取付用ブラケット６３の支持片６３１が支持される支持片６１３Ｃがダクト６１３の互いに対向する２カ所形成されているので、これらの支持片６１３Ｃに沿ってフィルタ取付用ブラケット６３を差し込みあるいは抜き出すことで集塵フィルタ６２のダクト６１３への着脱操作がより容易となる。
（６）フィルタ取付用ブラケット６３の支持片６３１にはダクト６１３に対してフィルタ取付用ブラケット６３を着脱する際の摘み部６３１Ｂが形成されているから、手を集塵フィルタ６２に触れることなく着脱作業を行うことができる。
【００３１】
（７）蛇腹状フィルタ６０を処理槽２に固定されたホルダ６０１に着脱自在に設けたから、蓋３を開放した際に、蛇腹状フィルタ６０を交換することができる。
（８）ホルダ６０１を、底枠６０１１と、この底枠６０１１の両端部にそれぞれ接続された側枠６０１２と、底枠６０１１及び側枠６０１２の背面側に一体に形成された背面部６０１３とを備え、底枠６０１１及び側枠６０１２に、その内側に向けて蛇腹状フィルタ６０の正面側への抜け止めをするためのフランジ部６０１Ａを形成したから、ホルダ６０１に蛇腹状フィルタ６０を確実に装着させることができる。
（９）蛇腹状フィルタ６０及び集塵フィルタ６２は、それぞれ脱臭機能を持たせるために活性炭等の脱臭剤を含む構成としたので、仮に、処理槽２に収納された生ゴミに異臭があったとしても、これらのフィルタをガスが通過することで異臭が取り除かれる。
【００３２】
（１０）処理槽２に生ゴミの水分を検出する水分検出センサとして一対の電極９０を設け、これらの電極９０で検出された検出データに基づいて給水機構４の駆動が制御されるので、処理槽２に収納された生ゴミが常時適正な水分を保持することになり、生ゴミの分解を効率的に促進させることができる。
（１１）一対の電極９０を、生ゴミの水分が過剰に溜まってしまう底面板部２１の最も深い位置ではなく、この最も深い位置より高い位置において互いに所定間隔離れて配置したので、生ゴミの水分を適正に検出することができる。
【００３３】
（１２)処理槽２に回転軸７０と羽根部７１とを有する攪拌機構７を設けたから、生ゴミが攪拌機構７で攪拌されて空気が含まれることになり、生ゴミの分解処理が促進する。
（１３）処理槽２の下部を半円状に形成し、この円中心に攪拌機構７の回転軸７０を設けたから、処理槽２の底面と回転軸７０に設けられた羽根部７１とが同じ距離となり、処理槽２に収納された生ゴミをむらなく攪拌することができる。
【００３４】
（１４）給水機構４のノズル４２を処理槽２の開口の一辺に沿って長尺状とし、その長手方向に沿って複数の噴水孔を形成したから、処理槽２に収納された生ゴミの上に水を満遍なく散水することができる。
（１５）ケーシング１の外観を犬の形状に模して形成したから、生ゴミ分解処理装置が犬の置物や人形と同一視することができる。そのため、家庭内のキッチンやリビングに生ゴミ分解処理装置をおいても、その回りの雰囲気に溶け込むことになる。
（１６）取手８をケース１に設けたから、装置の持ち運びが便利となる。しかも、取手８の外形がケーシング１の外周とほぼ一致するので、外観が良好となる。
【００３５】
（１７）ヒータ９２により処理槽２を加熱する構成としたから、処理槽２の内部に収納された生ゴミの水分が多すぎた場合には、ヒータ９２で生ゴミを加熱することで、生ゴミの水分を適正な値とすることができる。
（１８）ヒータ９２とケーシング１の底板１５との間に断熱マット９３を設けたから、ヒータ９２で発生する熱が底板１５を伝わって外部に逃げることが少ないので、処理槽２に収納された生ゴミを効率的に加熱することができる。
【００３６】
なお、本発明は前述の実施形態に限定されるものではなく、本発明の目的を達成できる範囲での変形、改良等は本発明に含まれるものである。
例えば、前記実施形態では、集塵フィルタ６２を袋状に形成したが、本発明では、集塵フィルタ６２を蛇腹状に形成するものであってもよい。
攪拌機構７の構成は前記実施形態のように回転軸７０と羽根部７１とを有するものに限定されるものではなく、例えば、スクリュー形状にするものであってもよい。
【００３７】
処理槽２は、下部を半円形としたが、本発明では、下部を矩形状とするものでもよい。
さらに、ヒータ９２や断熱マット９３は必要に応じて設ければよい。
前記実施形態のケーシング１は犬を模した外観形状としたが、猫やその他のペットを模した外観形状としてもよく、さらには、構成を簡易にするために、箱状の外観としてもよい。
【産業上の利用可能性】
【００３８】
本発明は、バイオ菌を利用して、野菜屑、ペットの糞、その他の生ゴミを分解処理する装置であって、家庭用や業務用の生ゴミ分解装置に利用することができる。
【符号の説明】
【００３９】
１…ケーシング、２…処理槽、３…蓋、４…給水機構、５…給気部、６…排気機構、７…攪拌機構、１１…胴部、１２…耳部、１２Ａ…排気口、４１…タンク、４２…ノズル、４４…ポンプ、６０…蛇腹状フィルタ、６１…ファン、６２…集塵フィルタ、６３…フィルタ取付用ブラケット、７０…回転軸、７１…羽根部、９２…ヒータ
【図１】
2010240610.tif 000003
【図２】
2010240610.tif 000004
【図３】
2010240610.tif 000005
【図４】
2010240610.tif 000006
【図５】
2010240610.tif 000007
【図６】
2010240610.tif 000008
【図７】
2010240610.tif 000009